(57)【要約】【課題】テレビ放送信号伝送システムの伝送機器へ電源供給を行う電源装置において、伝送機器への電源供給が不要なときの消費電力を抑えて、システムの省エネ化を図る。【解決手段】電源装置５０には、出力端子Ｔ３を介して伝送線上の伝送機器に電源供給するための電源電圧を生成する電源回路５４が設けられ、電源プラグ５２から電源回路５４への電源供給経路Ｄ２にはリレースイッチ５８が設けられている。またトランジスタ６２がオン状態であるとき、リレースイッチ５８をオンさせるための電力を蓄積するコンデンサ６０が設けられており、このコンデンサ６０は電源回路５４からの出力により充電される。そして、テレビ受信装置の動作状態を検出する検出装置から伝送線を介して、電源供給指令を表す制御信号が伝送されてくると、駆動回路６８がその制御信号によりトランジスタ６２をオンさせ、リレースイッチ５８により電源供給経路Ｄ２を導通させる。【選択図】図３
2011229137.tif 000002
【特許請求の範囲】
【請求項１】
外部電源から電源供給を受けて、テレビ放送信号伝送システムの伝送線に設けられた伝送機器を動作させるのに必要な直流電源電圧を生成する電源回路を備え、該電源回路にて生成された直流電源電圧を前記伝送機器に供給する、テレビ放送信号伝送機器の電源装置において、
前記外部電源に接続される電源プラグと前記電源回路との間の電源供給経路に設けられ、リレーコイルへの通電／非通電により該電源供給経路を導通／遮断する常開型のリレースイッチと、
前記電源回路にて生成された直流電源電圧を出力する出力経路から電源供給を受けて、コンデンサ又は二次電池からなる蓄電手段を充電する充電手段と、
前記蓄電手段に充電された電力にて前記リレーコイルに電流を流す通電経路上に設けられ、該通電経路を導通／遮断する常開型のスイッチング素子と、
前記テレビ放送信号伝送システムの伝送線を介して当該電源装置に前記伝送機器への電源供給指令を表す制御信号が入力されると、該制御信号により前記スイッチング素子の駆動信号を生成して、前記スイッチング素子をオンさせる駆動回路と、
前記リレースイッチに並列に接続され、外部操作によって前記電源供給経路を導通させるための常開型の操作スイッチと、
を備えたことを特徴とするテレビ放送信号伝送機器の電源装置。
【請求項２】
テレビ放送信号伝送用の伝送機器、及び、外部電源から電源供給を受けて前記伝送機器駆動用の電源電圧を生成し当該電源電圧を前記伝送機器に供給する電源装置、が設けられた伝送線を介して、テレビ放送信号を複数のテレビ端子まで伝送するテレビ放送信号伝送システムにおいて、
前記各テレビ端子に接続されるテレビ受信装置側に、それぞれ、当該テレビ受信装置が前記テレビ放送信号を受信中であるか否かを判定して、当該テレビ受信装置が前記テレビ放送信号を受信中であれば、前記伝送機器への電源供給指令を表す制御信号を前記テレビ端子から前記伝送線に出力させる受信状態検出装置を設け、
前記電源装置には、請求項１に記載の電源装置を用いることを特徴とするテレビ放送信号伝送システム。
【発明の詳細な説明】
【技術分野】
【０００１】
本発明は、テレビ放送信号伝送システムの伝送線に設けられたテレビ放送信号伝送機器に対し電源供給を行う電源装置、及び、この電源装置を備えたテレビ放送信号伝送システムに関する。
【背景技術】
【０００２】
テレビ放送信号伝送システムにおいては、通常、テレビ放送信号を伝送する伝送線上に、テレビ放送信号を増幅する増幅器や、テレビ放送信号のチャンネル配列を変更する周波数変換器等の伝送機器が設けられている。
【０００３】
そして、この種の伝送機器は、伝送機器に内蔵された電源装置から直接電源供給を受けて動作するか、或いは、伝送線に接続された電源装置から伝送線を介して電源供給を受けて動作する。
【０００４】
なお、電源装置は、通常、商用電源から電源供給（例えば、ＡＣ１００Ｖ）を受けて、伝送機器駆動用の直流電圧（例えば、ＤＣ１５Ｖ）を生成するように構成されている。
ところで、この種の伝送機器は、複数のテレビ端子にそれぞれ接続されるテレビ受信装置（テレビ受像器、テレビチューナ、録画装置等）へのテレビ放送信号の入力レベルやチャンネル配列を設定するためのものであることから、端末側のテレビ受信装置がテレビ放送信号を受信していないときには、伝送機器の動作を停止させても問題はない。
【０００５】
そこで、従来では、端末側のテレビ端子とテレビ受信装置との間に設けられて伝送線上の増幅器（ブースタ）に電源供給を行う電源装置内、若しくは、この電源装置とテレビ受信装置との間に設けられる端末機器内に、テレビ受信装置の動作状態を検出して、テレビ受信装置が動作しているときに、電源装置から増幅器への電源供給を実行させ、テレビ受信装置が動作を停止しているときには、電源装置から増幅器への電源供給を停止させる電源制御装置を設けることが提案されている（例えば、特許文献１等参照）。
【０００６】
そして、この提案の電源制御装置によれば、テレビ受信装置が動作を停止しているときに、電源装置から増幅器への電源供給を停止させるので、増幅器における電力消費量を抑えて、テレビ放送信号伝送システムの省エネ化を図ることができる。
【先行技術文献】
【特許文献】
【０００７】
【特許文献１】特開平６−２４５２１１号公報
【発明の概要】
【発明が解決しようとする課題】
【０００８】
ところで、上記提案の電源制御装置は、テレビ受信装置が接続される電源装置、若しくは、電源装置とテレビ受信装置との間の端末機器に内蔵され、電源装置若しくは端末機器に接続されるテレビ受信装置の動作状態を判定することにより、電源装置から増幅器への電源供給を実行・停止させるものであるので、例えば、テレビ受信装置から離れた伝送線上に設置された電源装置や、伝送機器に内蔵された電源装置に対しそのまま適用することができなかった。
【０００９】
そこで、本発明者らは、端末側のテレビ受信装置の動作状態に応じて、テレビ受信装置から離れた場所に設置された電源装置や伝送機器に内蔵された電源装置の動作を切り換えることができるようにするため、テレビ受信装置側にその動作状態を検出する検出装置を設け、テレビ受信装置が動作しているときに検出装置から電源装置に電源供給指令を送信することを考えた。
【００１０】
つまり、テレビ受信装置側の検出装置から伝送線上の電源装置に対し伝送線を介して電源供給指令を送信することで、テレビ受信装置が動作しているときにだけ電源装置を動作させるようにするのである。
【００１１】
そして、このようにすれば、伝送線に複数のテレビ受信装置が接続されたテレビ放送信号伝送システムにおいて、各テレビ受信装置でのテレビ放送信号の受信に影響を与えることなく、電源装置（延いては伝送機器）の動作を必要最小限に抑え、省エネ化を図ることができるようになる。
【００１２】
つまり、伝送線に複数のテレビ受信装置が接続されていても、各テレビ受信装置に検出装置を設けて、各検出装置が対応するテレビ受信装置の動作状態を検出するようにすれば、複数のテレビ受信装置のうちの一つでも動作状態にあれば、電源装置（延いては伝送機器）を動作させてテレビ放送信号を伝送させ、逆に、全てのテレビ受信装置が動作停止状態になったときには、電源装置（延いては伝送機器）の動作を停止させて、テレビ放送信号伝送システムでの消費電力を低減することができるようになる。
【００１３】
しかしながら、電源装置を、検出装置から伝送線を介して伝送されてくる電源供給指令を受けて伝送機器への電源供給を開始するように構成するには、電源装置に、伝送機器に供給する電源電圧を生成する電源回路とは別に、電源供給指令を検出して電源回路を動作させる制御回路を設ける必要がある。
【００１４】
このため、上記のように電源装置の動作を、テレビ受信装置の動作状態に応じて制御するようにした場合、電源装置から電源供給を受ける伝送機器での消費電力を低減することはできるものの、電源装置内では、上記制御回路を常時動作させる必要があるため、端末側のテレビ受信装置の動作停止時に、電源装置と伝送機器とで消費される電力量を略ゼロにまで低減することはできず、テレビ放送信号伝送システムの省電力化の妨げになるという問題があった。
【００１５】
本発明は、こうした問題に鑑みなされたものであり、テレビ放送信号伝送システムの伝送線上に設けられた伝送機器へ電源供給を行う電源装置において、伝送機器への電源供給が不要なときの消費電力を略ゼロに抑えて、省エネ化を図ることを目的とする。
【課題を解決するための手段】
【００１６】
かかる目的を達成するためになされた請求項１に記載の発明は、
外部電源から電源供給を受けて、テレビ放送信号伝送システムの伝送線に設けられた伝送機器を動作させるのに必要な直流電源電圧を生成する電源回路を備え、該電源回路にて生成された直流電源電圧を前記伝送機器に供給する、テレビ放送信号伝送機器の電源装置において、
前記外部電源に接続される電源プラグと前記電源回路との間の電源供給経路に設けられ、リレーコイルへの通電／非通電により該電源供給経路を導通／遮断する常開型のリレースイッチと、
前記電源回路にて生成された直流電源電圧を出力する出力経路から電源供給を受けて、コンデンサ又は二次電池からなる蓄電手段を充電する充電手段と、
前記蓄電手段に充電された電力にて前記リレーコイルに電流を流す通電経路上に設けられ、該通電経路を導通／遮断する常開型のスイッチング素子と、
前記テレビ放送信号伝送システムの伝送線を介して当該電源装置に前記伝送機器への電源供給指令を表す制御信号が入力されると、該制御信号により前記スイッチング素子の駆動信号を生成して、前記スイッチング素子をオンさせる駆動回路と、
前記リレースイッチに並列に接続され、外部操作によって前記電源供給経路を導通させるための常開型の操作スイッチと、
を備えたことを特徴とする。
【００１７】
また、請求項２に記載の発明は、
テレビ放送信号伝送用の伝送機器、及び、外部電源から電源供給を受けて前記伝送機器駆動用の電源電圧を生成し当該電源電圧を前記伝送機器に供給する電源装置、が設けられた伝送線を介して、テレビ放送信号を複数のテレビ端子まで伝送するテレビ放送信号伝送システムにおいて、
前記各テレビ端子に接続されるテレビ受信装置側に、それぞれ、当該テレビ受信装置が前記テレビ放送信号を受信中であるか否かを判定して、当該テレビ受信装置が前記テレビ放送信号を受信中であれば、前記伝送機器への電源供給指令を表す制御信号を前記テレビ端子から前記伝送線に出力させる受信状態検出装置を設け、
前記電源装置には、請求項１に記載の電源装置を用いることを特徴とする。
【発明の効果】
【００１８】
請求項１に記載の電源装置においては、電源プラグと電源回路との間の電源供給経路に常開型のリレースイッチが設けられており、このリレースイッチのリレーコイルには、充電手段を介して充電される蓄電手段から電流を流すための通電経路が形成されている。
【００１９】
そして、この通電経路には、スイッチング素子が設けられており、スイッチング素子は、テレビ放送信号伝送システムの伝送線を介して伝送機器への電源供給指令を表す制御信号が入力されているとき、駆動回路により生成される駆動信号にてオンされ、制御信号が入力されていないときにはオフ状態になる。
【００２０】
従って、リレースイッチは、伝送線を介して制御信号が入力されているときにだけオン状態となって、電源プラグから電源回路への電源供給経路を導通させ、伝送線を介して制御信号が入力されていないときには、電源プラグから電源回路への電源供給経路を遮断することになる。
【００２１】
このため、本発明の電源装置によれば、伝送線を介して制御信号が入力されていない状態では、外部電源からの電源供給が遮断されて、電源回路等で消費される電力量がゼロとなり、電源装置（延いてはテレビ放送信号伝送システム）の省エネ化を促進することができる。
【００２２】
また、伝送線を介して制御信号が入力されたときにリレースイッチをオフ状態からオン状態に切り換えるための電源は、電源回路の動作時に蓄電手段に蓄積された電力であるが、例えば、電源プラグを外部電源のコンセントに差し込み、電源装置の使用を開始する初期状態では、蓄電手段が放電されていて、制御信号の入力によりスイッチング素子がオン状態に制御されても、リレーコイルに通電できないことが考えられる。そして、リレーコイルに通電できなければ、リレースイッチを介して電源プラグから電源回路への電源供給経路を形成することができない。
【００２３】
そこで、本発明では、リレースイッチに対して並列に、常開型の操作スイッチを設け、この操作スイッチを操作することで、電源プラグから電源回路への電源供給経路を形成して、電源回路から直流電源電圧を出力させ、その直流電源電圧にて蓄電手段が充電されるようにしている。
【００２４】
このため、本発明の電源装置によれば、蓄電手段が放電されていても、操作スイッチを操作することで蓄電手段に充電し、上記のように、電源装置の動作を、伝送線を介して入力される制御信号に従い制御することができるようになる。
【００２５】
次に、請求項２に記載のテレビ信号伝送システムにおいては、テレビ放送信号が伝送される端末側のテレビ端子が複数備えられており、その複数のテレビ端子に接続されるテレビ受信装置側には、それぞれ、テレビ受信装置がテレビ放送信号を受信中であるか否かを判定して、テレビ受信装置がテレビ放送信号を受信中であれば、伝送機器への電源供給指令を表す制御信号をテレビ端子から伝送線に出力させる受信状態検出装置が設けられている。
【００２６】
そして、伝送線上の伝送機器に電源供給を行う電源装置には、上述した請求項１に記載の電源装置が用いられる。
このため、本発明のテレビ信号伝送システムによれば、各テレビ端子に接続されるテレビ受信装置が全て受信動作を停止しており、全てのテレビ受信装置から伝送線に伝送機器への電源供給指令を表す制御信号が出力されていないときには、電源装置は、伝送機器への電源供給を停止するだけでなく、電源回路等の内部回路の動作を全て停止することになる。
【００２７】
従って、本発明のテレビ信号伝送システムによれば、端末側の全てのテレビ受信装置が受信動作を停止しているとき（例えば真夜中など）に伝送機器及び電源装置で消費される電力量を略ゼロにして、テレビ放送信号伝送システムの省エネ化を図ることができる。
【図面の簡単な説明】
【００２８】
【図１】実施形態のテレビ放送信号伝送システム全体の構成を表す概略構成図である。
【図２】実施形態の検出装置の構成を表すブロック図である。
【図３】実施形態の電源装置の構成を表すブロック図である。
【発明を実施するための形態】
【００２９】
以下に本発明の実施形態を図面と共に説明する。
本実施形態のテレビ放送信号伝送システムは、所謂ホーム共同受信を行うためのものであり、図１に示すように、テレビ放送信号の受信アンテナとして、ＶＨＦ帯のテレビ放送電波を受信するＶＨＦアンテナ２と、ＵＨＦ帯のテレビ放送電波を受信するＵＨＦアンテナ４と、放送衛星（ＢＳ）や通信衛星（ＣＳ）を介して配信される衛星放送電波を受信する衛星受信アンテナ６を備える。
【００３０】
そして、ＶＨＦアンテナ２及びＵＨＦアンテナ４からの受信信号は混合器８で混合された後、ブースタ１０に入力され、衛星受信アンテナ６からの受信信号もブースタ１０に入力される。
【００３１】
ブースタ１０は、上記各アンテナ２，４，６からの受信信号（換言すれば各放送チャンネルのテレビ放送信号）を所定レベルまで増幅するためのものであり、端末側に設けられた電源装置５０から、同軸ケーブルからなる伝送線Ｌを介して伝送されてくる直流電源電圧（例えばＤＣ１５Ｖ）を受けて動作するように構成されている。
【００３２】
また、ブースタ１０で増幅された受信信号は、分配器１２にて分配（図では４分配）され、分配器１２の各分配出力端子に接続された伝送線Ｌを介して、建造物内の各部屋に設置されたテレビ端子１４，１６，…までそれぞれ伝送される。
【００３３】
テレビ端子１４，１６，…は、各部屋に設置されたテレビ受信装置２８（テレビ受像器、テレビチューナ、録画装置等）に受信信号を配信するためのものであり、テレビ受信装置２８のアンテナ入力端子に同軸ケーブルを介して接続するためのコネクタ（詳しくはＦ型コネクタ）を１又は複数備えている。
【００３４】
そして、本実施形態のテレビ放送信号伝送システムにおいては、テレビ端子１４，１６，…のコネクタにテレビ受信装置２８を接続する際には、検出装置３０を介して行うようにされている。
【００３５】
なお、図１には、テレビ受信装置２８及び検出装置３０は一組だけ記載されているが、検出装置３０は、各部屋に設けられるテレビ受信装置２８毎に、テレビ受信装置２８とテレビ端子１４，１６，…との間に設けられる。
【００３６】
次に、検出装置３０は、テレビ端子１４，１６，…とテレビ受信装置２８との間に設けられて、テレビ端子１４，１６，…のコネクタから出力される受信信号をテレビ受信装置２８のアンテナ入力端子に入力すると共に、建造物内の各部屋に設置された電源コンセント２４，２６，…から商用電源を取り込み、その取り込んだ商用電源をテレビ受信装置２８に供給し、しかも、その商用電源の供給状態からテレビ受信装置２８の動作状態を検出するためのものであり、図２に示すように構成されている。
【００３７】
すなわち、検出装置３０には、テレビ端子１４，１６，…のコネクタに同軸ケーブルを介して接続されて受信信号（テレビ放送信号）を取り込むための入力端子Ｔ１と、入力端子Ｔ１を介してテレビ端子１４，１６，…から取り込んだ受信信号をテレビ受信装置２８に出力するための出力端子Ｔ２と、これら各端子Ｔ１，Ｔ２間を接続して受信信号を伝送するための伝送経路Ｌ１と、各部屋の電源コンセント２４，２６，…に差し込まれて商用電源（例えばＡＣ１００Ｖ）を取り込むための電源プラグ３２と、この電源プラグ３２から入力された商用電源をテレビ受信装置２８に供給するための電源コンセント３４と、これら電源プラグ３２，電源コンセント３４間を接続して商用電源の給電経路を形成する電源線Ｄ１と、が設けられている。
【００３８】
また、検出装置３０には、電源線Ｄ１に設けられた検出部３８を介して電源線Ｄ１に流れる電流量を検出する電流検出回路４０と、電流検出回路４０からの検出電圧が閾値電圧Ｖｔｈ以上であるか否かを判定することにより、電源コンセント３４に接続されたテレビ受信装置２８の消費電流量が所定の閾値以上であるか否かを判定するコンパレータ４２と、コンパレータ４２でテレビ受信装置２８の消費電流量が所定の閾値以上であると判定されると（換言すれば検出電圧が閾値電圧Ｖｔｈ以上であるとき）、テレビ受信装置２８がテレビ放送信号を受信中であると判断して、電源装置５０からブースタ１０への電源供給指令を表す制御信号を生成し、入力端子Ｔ１からテレビ端子１４，１６，…（延いてはテレビ放送信号伝送システムの伝送線Ｌ）に出力させる信号生成回路４４と、電源線Ｄ１から商用電源の電源供給を受けて、上記各回路の駆動電圧（直流電圧）を生成する電源回路４８と、が備えられている。
【００３９】
信号生成回路４４は、受信信号に比べて極めて低い周波数帯の信号（例えば、トーン信号）を制御信号として生成するものであり、その生成された制御信号は、ローパスフィルタ（ＬＰＦ）４６を介して入力端子Ｔ１に出力される。
【００４０】
なお、信号生成回路４４にて生成される制御信号は、混信により電源装置５０側で制御信号を認識できなくなるのを防止するため、当該テレビ放送信号伝送システムに設けられる検出装置３０毎に異なる周波数帯に設定される。このため、信号生成回路４４は、外部操作によって、生成する制御信号の種別（周波数帯域）を、複数のものの中から選択できるように構成されている。
【００４１】
また次に、入力端子Ｔ１と出力端子Ｔ２とを接続する伝送経路Ｌ１上には、入力端子Ｔ１から入力された受信信号を出力端子Ｔ２側に伝送し、ＬＰＦ４６を介して入力端子Ｔ１（換言すれば伝送経路Ｌ１）に入力される制御信号が出力端子Ｔ２側に伝送されるのを阻止するハイパスフィルタ（ＨＰＦ）３６が設けられている。
【００４２】
このため、検出装置３０からテレビ端子１４，１６，…には、電源コンセント３４に接続されたテレビ受信装置２８がテレビ放送信号を受信中であるときに、制御信号が出力されることになる。
【００４３】
そして、検出装置３０から出力された制御信号は、建造物内に配線された伝送線Ｌを介して分配器１２側に伝送されるが、分配器１２には、各分配端子間で低周波の制御信号を通過させるための信号経路が形成されている。
【００４４】
従って、テレビ端子１４，１６，…に接続された検出装置３０からの制御信号は、分配器１２を介してテレビ放送信号伝送システムの全ての伝送線Ｌに伝送され、電源装置５０が伝送線Ｌのどの位置に配置されていても、電源装置５０には各検出装置３０からの制御信号が伝送されることになる。
【００４５】
次に、電源装置５０は、テレビ端子１６のコネクタに同軸ケーブルを介して接続されている。
図３に示すように、電源装置５０は、建造物内の各部屋に設置された商用電源の電源コンセント２４，２６，…に接続可能な電源プラグ５２と、電源プラグ５２を介して入力された商用電源からブースタ１０駆動用の電源電圧（例えばＤＣ１５Ｖ）を生成する電源回路５４と、テレビ端子１６のコネクタに同軸ケーブルを介して接続可能な出力端子Ｔ３と、電源回路５４にて生成された直流電源電圧を出力端子Ｔ３へと通過させる直流通過フィルタ５６とを備え、電源回路５４にて生成された直流電源電圧を直流通過フィルタ５６及び出力端子Ｔ３を介して、テレビ端子１６（延いては伝送線Ｌ）へ出力するように構成されている。
【００４６】
また、電源プラグ５２から電源回路５４への電源供給経路Ｄ２には、リレースイッチ５８が設けられている。このリレースイッチ５８は、リレーコイル５８ａに通電されたときに接点がオン状態となって電源供給経路Ｄ２を導通させ、リレーコイル５８ａへの通電が遮断されているとき接点がオフ状態となって電源供給経路Ｄ２を遮断させる常閉型のリレーである。
【００４７】
そして、リレーコイル５８ａの一端は、常開型（所謂ノーマリオフ型）のトランジスタ６２を介してグランドラインに接地され、リレーコイル５８ａの他端は、一端がグランドラインに接地されたコンデンサ６０の他端に接続されている。
【００４８】
また、このコンデンサ６０の他端には、ダイオード６４のカソードが接続されており、このダイオード６４のアノードは、電源回路５４から出力端子Ｔ３に至る直流電源電圧の出力経路Ｌ２に接続されている。
【００４９】
このため、リレースイッチ５８がオン状態で、電源回路５４に商用電源が供給されているときには、コンデンサ６０は電源回路５４にて生成された直流電源電圧により充電され、コンデンサ６０には、その容量と直流電源電圧とで決まる電力が蓄積されることになる。
【００５０】
また、リレースイッチ５８がオフ状態で、電源回路５４が動作を停止しているときに、トランジスタ６２がオン状態になると、コンデンサ６０からリレーコイル５８ａに電流が流れて、リレースイッチ５８がオン状態となり、電源回路５４に商用電源が供給される。
【００５１】
そして、電源回路５４に商用電源が供給されると、電源回路５４は直流電源電圧を生成して、出力経路Ｌ２に出力することから、コンデンサ６０は、ダイオード６４を介して充電され、リレースイッチ５８のオン状態（延いては電源回路５４の動作）が保持される。
【００５２】
次に、直流通過フィルタ５６と出力端子Ｔ３との間の直流電源電圧の出力経路には、通過周波数帯域が制御信号の周波数帯域に設定されて、伝送線Ｌを流れる制御信号のみを選択的に通過させる制御信号通過フィルタ６６の一端が接続されている。
【００５３】
このため、テレビ端子１４，１６，…に接続された検出装置３０から出力された制御信号は、伝送線Ｌを介して電源装置５０に入力され、電源装置５０内で制御信号通過フィルタ６６により抽出されることになる。
【００５４】
そして、その抽出された制御信号は、トランジスタ６２の駆動回路６８に入力される。この駆動回路６８は、制御信号通過フィルタ６６を介して入力される制御信号を全波整流することにより、トランジスタ６２をオンさせるための駆動信号を生成し、トランジスタ６２の制御端子に出力する。なお、トランジスタ６２は、制御端子（ゲート、ベース等）に駆動信号を受けてオン状態になるものであれば何でもよく、例えば、ｎチャネルのＭＯＳＦＥＴや、ＮＰＮ型のバイポーラトランジスタ等を用いることができる。
【００５５】
この結果、伝送線Ｌを介して電源装置５０に検出装置３０からの制御信号が入力された際には、駆動回路６８がトランジスタ６２をオンさせ、これによって、リレースイッチ５８がオン状態となって、電源回路５４が動作し、電源装置５０から伝送線Ｌ上のブースタ１０に直流電源電圧が供給されることになる。
【００５６】
一方、テレビ端子１４，１６，…に接続された全てのテレビ受信装置２８が動作を停止しており、各テレビ受信装置２８に対し設けられた全ての検出装置から制御信号が出力されなくなると、駆動回路６８ではその制御信号からトランジスタ６２の駆動信号を生成することができなくなるので、トランジスタ６２はオフ状態となり、これによって、リレースイッチ５８がオフ状態となって、電源回路５４が動作を停止し、電源装置５０からブースタ１０への電源供給が停止されることになる。
【００５７】
そして、この状態では、ブースタ１０だけでなく、電源装置５０においても、電力消費量がゼロになることから、本実施形態のテレビ放送信号伝送システムによれば、伝送線Ｌに接続されたテレビ受信装置２８にテレビ放送信号を伝送する必要のないときには、テレビ放送信号伝送システムでの電力消費量を必要最小限に抑えて、省エネ化を図ることができるようになる。
【００５８】
ところで、電源装置５０が出荷されてから長期間使用されない場合や、電源装置５０の動作が長期間停止された場合には、コンデンサ６０に蓄積された電荷が放電されてしまう。そして、この状態では、伝送線Ｌを介して制御信号が入力され、駆動回路６８によりトランジスタ６２をオン状態に駆動することができても、リレースイッチ５８をオン状態にすることはできない。
【００５９】
そこで、本実施形態の電源装置５０には、更に、リレースイッチ５８に対して並列に、常開型の操作スイッチ７０を設け、使用者が、この操作スイッチ７０をオン状態に操作すれば、電源プラグ５２から電源回路５４への電源供給経路Ｄ２を導通させて、電源回路５４から直流電源電圧を出力させ、その直流電源電圧にてコンデンサ６０が充電されるようにしている。
【００６０】
このため、本実施形態の電源装置５０によれば、コンデンサ６０が放電されていても、操作スイッチ７０を操作することでコンデンサ６０に充電し、電源装置５０の動作を、伝送線Ｌを介して入力される制御信号に従い制御することができるようになる。
【００６１】
なお、本実施形態においては、ブースタ１０が、本発明の伝送機器に相当し、ダイオード６４が、本発明の充電手段に相当し、トランジスタ６２が、本発明のスイッチング素子に相当する。
【００６２】
以上、本発明の一実施形態について説明したが、本発明は上記実施形態に限定されるものではなく、本発明の要旨を逸脱しない範囲内にて、種々の態様をとることができる。
例えば、上記実施形態では、電源装置５０は、テレビ端子１６を介してテレビ放送信号伝送システムの伝送線Ｌに接続されるものとして説明したが、電源装置５０は、伝送線Ｌに接続されていればよく、テレビ放送信号伝送システムが構築される建造物内の任意の位置に設置することができる。
【００６３】
また、電源装置５０は、必ずしも単体で構成する必要はなく、例えば、電源供給の対象となる伝送機器（ブースタ１０等）に内蔵するようにしてもよい。
また、上記実施形態では、電源装置５０は、商用電源から電源供給を受けて動作するものとして説明したが、電源装置５０が、無停電電源装置やバッテリ等の商用電源とは異なる外部電源から電源供給を受けて動作するものであっても、本発明を適用できる。
【００６４】
また、上記実施形態では、検出装置３０は、建造物内の各部屋に設置された電源コンセントから商用電源を取り込み、その取り込んだ商用電源をテレビ受信装置２８に供給するものとして説明したが、この検出装置３０についても、無停電電源装置やバッテリ等の商用電源とは異なる外部電源から電源供給を受けて、テレビ受信装置２８に電源供給を行うように構成してもよい。
【００６５】
つまり、検出装置３０は、テレビ受信装置２８への電源の供給状態からテレビ受信装置２８の動作状態を検出できればよく、外部電源については、商用電源でも無停電電源装置等の他の電源供給源でもよい。
【００６６】
また、上記実施形態では、ブースタ１０に電源供給を行う電源装置５０に本発明を適用した場合について説明したが、例えば、衛星受信アンテナ６に設けられるコンバータ等、他の伝送機器に電源供給を行う電源装置に適用しても、上記実施形態と同様の効果を得ることができる。
【００６７】
また更に、上記実施形態では、蓄電手段としてコンデンサ６０を用いるものとして説明したが、コンデンサ６０に代えて二次電池を用いるようにしてもよい。
また、上記実施形態では、駆動回路６８は、制御信号を全波整流することによりトランジスタ６２をオンさせるための駆動信号を生成するものとして説明したが、例えば、リレーコイル５８ａに加えて、駆動回路６８にも、コンデンサ６０（又は二次電池）から電源供給を行うようにし、駆動回路６８は、制御信号の入力時に、コンデンサ６０（又は二次電池）からの供給電力により駆動信号を生成するよう構成してもよい。
【符号の説明】
【００６８】
２…ＶＨＦアンテナ、４…ＵＨＦアンテナ、６…衛星受信アンテナ、８…混合器、１０…ブースタ、１２…分配器、１４，１６…テレビ端子、２４…電源コンセント、２８…テレビ受信装置、３０…検出装置、３２…電源プラグ、３４…電源コンセント、３８…検出部、４０…電流検出回路、４２…コンパレータ、４４…信号生成回路、４８…電源回路、５０…電源装置、５２…電源プラグ、５４…電源回路、５６…直流通過フィルタ、５８…リレースイッチ、５８ａ…リレーコイル、６０…コンデンサ、６２…トランジスタ、６４…ダイオード、６６…制御信号通過フィルタ、６８…駆動回路、７０…操作スイッチ、Ｄ１…電源線、Ｄ２…電源供給経路、Ｌ…伝送線、Ｌ１…伝送経路、Ｌ２…出力経路。
【図１】
2011229137.tif 000003
【図２】
2011229137.tif 000004
【図３】
2011229137.tif 000005